(57)【要約】【課題】表示パネルの大画面化を実現することができ、しかも光源ユニットの発光動作に起因する表示パネルの画像表示斑を減少することができるバックライトユニットを提供する。【解決手段】バックライトユニットにおいて、シャーシ１１の底面には、第１の光源ユニット４Ｂの側から第２の光源ユニット４Ｔの側へと延伸し、シャーシ１１の内側から外側に向かって突出する複数の凸部Ｈと、第１の光源ユニット４Ｂ側の凸部１１Ｈの領域内に配設された第１の貫通穴１１Ｈ１と、第２の光源ユニット４Ｔ側の凸部１１Ｈの領域内に配設された第２の貫通穴１１Ｈ２とを更に備える。【選択図】図１
2009245883.tif 000002
【特許請求の範囲】
【請求項１】
導光体と、
前記導光体の側面に対向して配設され、前記導光体の前記側面に光を入射させる光源ユニットと、
前記導光体の光取り出し面と反対の面に対して対向する主面を有するシャーシと、を備え、
前記シャーシの前記主面には、
前記光源ユニットが配設されたシャーシの側から前記光源ユニットが配設された側と対向するシャーシの側へと延伸するように設けられ、前記導光体と反対の方向に突出する複数の間隔を空けて設けられた凸部と、
前記第１の光源ユニット側の前記凸部の形成領域内に配設された第１の貫通穴と、
前記第２の光源ユニット側の前記凸部の形成領域内に配設された第２の貫通穴と、
を更に備えること特徴とするバックライトユニット。
【請求項２】
導光体と、
前記導光体の一方の側面に対向して配設され、前記導光体の前記一方の側面に光を入射させる第１の光源ユニットと、
前記導光体の前記一方の側面と反対の他方の側面に対向して配設され、前記導光体の前記他方の側面に光を入射させる第２の光源ユニットと、
前記導光体の光取り出し面と反対の面に対して対向する主面を有するシャーシと、を備え、
前記シャーシの前記主面には、
前記第１の光源ユニットの側から前記第２の光源ユニットの側へと延伸するように設けられ、前記導光体と反対の方向に突出する複数の間隔を空けて設けられた凸部と、
前記第１の光源ユニット側の前記凸部の形成領域内に配設された第１の貫通穴と、
前記第２の光源ユニット側の前記凸部の形成領域内に配設された第２の貫通穴と、
を更に備えること特徴とするバックライトユニット。
【請求項３】
前記凸部と前記凸部との間の前記シャーシの主面は前記導光体の前記光取り出し面と反対の主面に接触し、前記シャーシの凸部と前記導光体との間は空間を有することを特徴とする請求項１又は請求項２に記載のバックライトユニット。
【請求項４】
導光体と、
前記導光体の一方の側面に対向して配設され、前記導光体の前記一方の側面に光を入射させる第１の光源ユニットと、
前記導光体の前記一方の側面と反対の他方の側面に対向して配設され、前記導光体の前記他方の側面に光を入射させる第２の光源ユニットと、
前記導光体の光取り出し面と反対の面に対して対向する主面を有するシャーシと、を備え、
前記シャーシには、前記導光体及び前記光源ユニットの一部を覆うように前記光源ユニットが設けられた前記主面の端部側において折り曲げられた折り曲げ部により形成された側面を有し、この折り曲げ部にはスリットを配設したことを特徴とするバックライトユニット。
【請求項５】
前記シャーシの前記主面には、前記第1の光源ユニットの近傍から前記第２の光源ユニットの近傍へと延伸し、前記導光体と反対の方向に突出して、複数の間隔を空けて設けられた凸部と、
前記第１の光源ユニット側の前記凸部の形成領域内に配設された第１の貫通穴と、
前記第２の光源ユニット側の前記凸部の形成領域内に配設された第２の貫通穴と、
を更に備えたことを特徴とする請求項４に記載のバックライトユニット。
【発明の詳細な説明】
【技術分野】
【０００１】
本発明は、シャーシを用いたバックライトユニットに関し、特に表示パネルの大画面化を実現することができ、しかも光源ユニットの発光動作に起因する表示パネルの画像表示斑を減少することができるバックライトユニットに関する。
【背景技術】
【０００２】
エッジライト型の液晶面光源装置におけるバックライトユニットは、液晶表示パネルの裏面に配設された導光体と、この導光体の側面に配設された光源ユニットとを備えている。この光源ユニットから照射された光は導光体の側面に入射される。導光体は、光源ユニットから照射された光を内部において均等に拡散し、この拡散光を液晶表示パネルの裏面の全域に斑を生じないように均等に出力する。光源ユニットとしては冷陰極放電管（ＣＣＦＬ）やその他に発光ダイオード（ＬＥＤ）が使用され、この光源ユニットが組み込まれたバックライトユニットが開発されている。
【０００３】
なお、この種のバックライトユニットとしては例えば下記特許文献１に記載されている。
【特許文献１】特許２００７−２６９１６号公報
【発明の開示】
【発明が解決しようとする課題】
【０００４】
前述の光源ユニットが組み込まれたバックライトユニットにおいては、以下の点について配慮がなされていなかった。
【０００５】
バックライトユニットにおいて、バックシャーシの主面（底面）上に導光体が配設され、光源ユニットがバックシャーシの主面の端部側に配設される場合、光源ユニット及び導光体の少なくとも一部を覆うようにバックシャーシの主面を折り曲げて形成された側面に光源ユニットが取り付けられる。バックシャーシには放熱性に優れ、機械的強度に優れ、機械加工性が良好でしかも比較的安価な例えばアルミニウム板が使用されている。ところが、前述のように光源ユニットの発光動作に伴う熱の発生により、光源ユニットに近いバックシャーシの側面の伸びが光源ユニットから遠いバックシャーシの主面の中央側よりも大きく、バックシャーシ自体が液晶表示パネル側に反りを生じる。このバックシャーシの反りは光源ユニット及び導光体にも影響し、光源ユニットと導光体の側面との間の位置関係に変化が生じる。このため、光源ユニットから照射された光が効率良く導光体の側面に入射されることが難しくなり、導光体の中央領域まで十分に光を拡散することができなくなるので、導光体から液晶表示パネルに出力される輝度が低下する。
【０００６】
そこで、本発明は上記課題を解決する事ができるバックライトユニットを提供することを目的とする。
【課題を解決するための手段】
【０００７】
上記課題を解決するために、本発明の実施の形態に係るバックライトユニットの特徴は、導光体と、導光体の側面に対向して配設され、導光体の側面に光を入射させる光源ユニットと、導光体の光取り出し面と反対の面に対して対向する主面を有するシャーシと、を備え、シャーシの主面には、光源ユニットが配設されたシャーシの側から光源ユニットが配設された側と対向するシャーシの側へと延伸するように設けられ、導光体と反対の方向に突出する複数の間隔を空けて設けられた凸部と、第１の光源ユニット側の前記凸部の形成領域内に配設された第１の貫通穴と、第２の光源ユニット側の前凸部の形成領域内に配設された第２の貫通穴と、を更に備える。
【０００８】
上記課題を解決するために、本発明の実施の形態に係るバックライトユニットの特徴は、導光体と、導光体の一方の側面に対向して配設され、導光体の一方の側面に光を入射させる第１の光源ユニットと、導光体の一方の側面と反対の他方の側面に対向して配設され、導光体の他方の側面に光を入射させる第２の光源ユニットと、導光体の光取り出し面と反対の面に対して対向する主面を有するシャーシと、を備え、シャーシの主面には、第１の光源ユニットの側から第２の光源ユニットの側へと延伸するように設けられ、導光体と反対の方向に突出する複数の間隔を空けて設けられた凸部と、第１の光源ユニット側の凸部の形成領域内に配設された第１の貫通穴と、第２の光源ユニット側の凸部の形成領域内に配設された第２の貫通穴と、を更に備える。
【０００９】
更に、凸部と凸部との間のシャーシの主面は導光体の光取り出し面と反対の主面に接触し、シャーシの凸部と導光体との間は空間を有する事が好ましい。
【００１０】
上記課題を解決するために、本発明の実施の形態に係るバックライトユニットの特徴は、導光体と、導光体の一方の側面に対向して配設され、導光体の一方の側面に光を入射させる第１の光源ユニットと、導光体の一方の側面と反対の他方の側面に対向して配設され、導光体の他方の側面に光を入射させる第２の光源ユニットと、導光体の光取り出し面と反対の面に対して対向する主面を有するシャーシと、を備え、シャーシには、導光体及び光源ユニットの一部を覆うように光源ユニットが設けられた主面の端部側において折り曲げられた折り曲げ部により形成された側面を有し、この折り曲げ部にはスリットを備える。
【００１１】
更に、シャーシの主面には、第１の光源ユニットの近傍から第２の光源ユニットの近傍へと延伸し、導光体と反対の方向に突出して、複数の間隔を空けて設けられた凸部と、第１の光源ユニット側の凸部の形成領域内に配設された第１の貫通穴と、第２の光源ユニット側の凸部の形成領域内に配設された第２の貫通穴と、を備える事が好ましい。
【発明の効果】
【００１２】
本発明によれば、表示パネルの大画面化を実現することができ、しかも光源ユニットの発光動作に起因する表示パネルの画像表示斑を減少することができるバックライトユニット用のシャーシ及びバックライトユニットを提供することができる。
【発明を実施するための最良の形態】
【００１３】
次に、図面を参照して、本発明の実施の形態を説明する。以下の図面の記載において、同一又は類似の部分には同一又は類似の符号を付している。ただし、図面は模式的なものであり、現実のものとは異なる。また、図面相互間においても互いの寸法の関係や比率が異なる部分が含まれている場合がある。
【００１４】
また、以下に示す実施の形態はこの発明の技術的思想を具体化するための装置や方法を例示するものであって、この発明の技術的思想は各構成部品の配置等を下記のものに特定するものでない。この発明の技術的思想は、特許請求の範囲において、種々の変更を加えることができる。
【００１５】
本発明の実施の形態は、バックライトユニットとして大画面を有する薄型液晶バックライトユニットに本発明を適用した例を説明するものである。なお、以下の説明においては、３２インチの液晶バックライトユニットに本発明を適用した例を説明するが、本発明はこの画面サイズに限定されるものではなく、３２インチの画面サイズを越える薄型液晶バックライトユニット、又は３２インチ未満の画面サイズを有する薄型液晶バックライトユニットにも適用することができる。
【００１６】
（第１の実施の形態）
［バックライトユニットの全体構成］
図１に示すように、本発明の第１の実施の形態に係るバックライトユニット１は、表示パネル２と、表示パネル２の一表面（裏面）２Ｂに対向して配設された導光体３と、表示パネル２及び導光体３を内部に配設するシャーシ（バックシャーシ）１１と、シャーシ１１の内部において導光体３の一側面３Ｂに対向して配設され、導光体３の一側面３Ｂに光を照射する第１の光源ユニット４Ｂと、シャーシ１１内部において導光体３の一側面３Ｂに対向する他側面３Ｔに対向して配設され、導光体３の他側面３Ｔに光を照射する第２の光源ユニット４Ｔと、を備える。
【００１７】
［導光体の構成］
導光体３は、図１に示すように、表示パネル２の表示面２Ａと反対の一表面２Ｂに適度の間隔例えば１ｍｍ−２ｍｍの間隔を持って対向する光出力面（表面）３Ａの面法線方向から見て（平面的に見て）表示パネル２の平面形状と同様に方形状の平面形状を有するフラットな板材である。また、導光体３の平面サイズは表示パネル２の平面サイズに比べて若干一回り大きく構成される。例えば３２インチの場合、縦４２０ｍｍ−４４０ｍｍ、横７１０ｍｍ−７３０ｍｍ、厚さ８．０ｍｍ−１３．０ｍｍのサイズを有する導光体３が使用される。
【００１８】
この導光体３は、第１の光源ユニット４Ｂから照射された光を一側面３Ｂから入射し、及び第２の光源ユニット４Ｔから照射された光を他側面３Ｔから入射し、導光体３の内部において入射された光を均等に拡散し、光出力面３Ａから均等に拡散された光を表示パネル２に出力する。導光体３は、このように光透過性を有し、耐熱性に優れ、かつ反射率が低い、例えばアクリル樹脂を実用的に使用することができる。
【００１９】
［光源ユニットの構成］
第１の光源ユニット４Ｂ、第２の光源ユニット４Ｔはいずれも半導体発光素子具体的には半導体発光ダイオードを備えている。すなわち、図１に示すように、第１の光源ユニット４Ｂは、ベースとなる基板４１と、基板４１上の発光ダイオード４２とを備えて構成されている。第１の実施の形態においては、導光体３の一側面３Ｂと対向するように設けられた基板４１上に数個−十数個の発光ダイオード４２が列を成して実装され（モジュール化され）、第１の光源ユニット４Ｂが構成されている。第２の光源ユニット４Ｔは、第１の光源ユニット４Ｂと同様に、導光体３の他側面３Ｔと対向するように設けられた基板４１上に数個−十数個の発光ダイオード４２が列を成して実装されている。
【００２０】
［筐体の構成］
図１乃至図２に示すように、バックライトユニット１においては、表示パネル２側に配設されたベゼル１０及び導光体３側に配設されたシャーシ１１により装置全体の筐体が構築され、このベゼル１０及びシャーシ１１により構築された筐体の内部に前述の表示パネル２、導光体３、第１の光源ユニット４Ｂ、第２の光源ユニット４Ｔが少なくとも配設されている。第１の実施の形態において、ベゼル１０は、成型加工が容易に行なえる、例えば樹脂材料又はアルミニウムまたはその合金等の金属材料により構成されている。また、シャーシ１１は、導光体３よりも熱伝導性に優れ、成型加工を容易に行うことができ、機械的強度に優れかつ安価な材料である、例えばアルミニウム又はその合金等の金属材料により構成されている。
【００２１】
シャーシ１１は導光体３及び第１及び第２の光源ユニット４Ｂ、４Ｔを覆うように導光体３の光出力面３Ａと反対の主面３Ｃと対向する主面（底面）１１Ｃと、第１及び第２の光源ユニット４Ｂ、４Ｔの設けられた主面（底面）１１Ｃの端部側の第２の折り曲げ部１１Ｔと、第２の折り曲げ部１１Ｔにより形成された一方及び他方の側壁を有する。
【００２２】
なお、第１の光源ユニット４Ｂは、シャーシ１１の一方の側壁（図１中左側壁）に配置されている。同様に、第２の光源ユニット４Ｔは、シャーシ１１の他方の側壁（図１中右側壁）に配置されている。これらの配置には第１及び第２の光源ユニット４Ｂ、４Ｔとシャーシとを例えばビス止め、ねじ止め、両面テープ等の固着手段で取り付けることができる。また、第１及び第２の光源ユニット４Ｂ、４Ｔの少なくとも一方は熱伝導性を有する弾性体７を介してシャーシ１１に取り付けても良い。また、第１及び第２の光源ユニット４Ｂ、４Ｔは第１及び第２の光源ユニット４Ｂ、４Ｔと導光体３との距離を保持する保持手段を取り付けても良い。
【００２３】
図１及び図２で示すように、シャーシ１１の主面１１は、表示パネル２側において表示パネル２と反対の裏面に向かって突出し、第１の光源ユニット４Ｂ側から第２の光源ユニット４Ｔ側に延伸しかつこの延伸方向と交差する方向に延伸し、複数間隔を空けて配設された凸部１１Ｈと、凸部１１Ｈの第１の光源ユニット４Ｂ側の一端側に配設され、凸部１１Ｈの形成領域内にその外部から流体ａを吸入するための第１の貫通穴１１Ｈ１と、凸部１１Ｈの第２の光源ユニット４Ｔ側の他端側に配設され、凸部１１Ｈの形成領域内にその外部に流体ａを排出するための第２の貫通穴１１Ｈ２とを更に備えている。
【００２４】
凸部１１Ｈ、第１の貫通穴１１Ｈ１及び第２の貫通穴１１Ｈ２は、シャーシ１１の底面に例えばプレス加工を行いて形成したものである。従って、凸部１１Ｈ、第１の貫通穴１１Ｈ１及び第２の貫通穴１１Ｈ２の配設に伴う部品点数の増加はない。凸部１１Ｈを除くシャーシ１１の領域１１Ｄは導光体３と接触しており、シャーシ１１の凸部１１Ｈは導光体３との間に隙間を有する。従って、凸部１１Ｈは、シャーシ１１と導光体３との間にシャーシ１１及びその内部の熱を放出するための流体ａを流す経路となる。ここで、流体ａには空気が使用されている。流体ａは、シャーシ１１及びその内部の温度が環境温度に比べて高くなると、バックライトユニット１の下側になる第１の貫通穴１１Ｈ１から凸部１１Ｈ内に吸入され、凸部１１Ｈ内で熱交換した後、第２の貫通穴１１Ｈ２を通して排出される。つまり、流体ａは、自然対流により自然に凸部１１Ｈを通過し、シャーシ１１及びその内部の熱を放出する。よって、凸部１１Ｈはバックライトユニット１を設置した時、凸部１１Ｈの延伸方向が上下方向となるように配設する事が熱を良好に放出するために望ましい。
【００２５】
本発明の第1の実施の形態において、凸部１１Ｈは第１の光源ユニット４Ｂから第２の光源ユニット４Ｔに細長い半筒形状により構成されている。第１の貫通穴１１Ｈ１、第２の貫通穴１１Ｈ２は、例えばそれぞれ縦長のスリット形状により構成されており、その個数は限定されるものではないが、４本づつ配設されている。
【００２６】
また、凸部１１Ｈは前述のようにシャーシ１１の底面を立体的に成型することにより構成されているので、シャーシ１１自体の機械的強度は凸部１１Ｈにより増強される。
【００２７】
以上説明したように、このように構成される本発明の第1の実施の形態に係るバックライトユニット１においては、シャーシ１１に凸部１１Ｈ、第１の貫通穴１１Ｈ１及び第２の貫通穴１１Ｈ２を備え、第１の光源ユニット４Ｂ及び第２の光源ユニット４Ｔの発光動作に起因する熱を外部に放出することができ、この結果、表示パネル２の画像表示斑を減少することができるので、表示パネル２の大画面化を実現することができる。
【００２８】
また、本発明の第1の実施の形態に係るバックライトユニット１においては、立体的な形状を有する放熱経路１１をシャーシ１１に備えたので、シャーシ１１の機械的強度を補強することができ、第１の光源ユニット４Ｂ及び第２の光源ユニット４Ｔの発光動作に起因する熱によるシャーシ１１の反りを減少することができる。この結果、バックライトユニット１においては、表示パネル２の大画面化を実現することができる。
【００２９】
更に、本発明の第1の実施の形態に係るバックライトユニット１においては、導光体３よりも熱伝導性の良い材料からなるシャーシ１１の領域１１Ｄは導光体３と接触しており、シャーシ１１の領域１１Ｄが第１の光源ユニット４Ｂ及び第２の光源ユニット４Ｔの発光動作時の熱に起因して導光体３の第１の光源ユニット４Ｂ及び第２の光源ユニット４Ｔ近傍の温度が上昇する事を抑制するとともに、導光体３の表示面における温度の均一化を図る事ができる。よって、図２で示すように、凸部１１Ｈは第１の光源ユニット４Ｂ及び第２の光源ユニット４Ｔの外郭（端）まで形成されておらず、第１の光源ユニット４Ｂ及び第２の光源ユニット４Ｔ側にはシャーシ１１の領域１１Ｄが形成されている事が望ましい。
【００３０】
更に、流体ａが導光体３の中央領域に熱を伝達することができる。従って、表示パネルの温度分布を均一化することができ、より一層、表示パネル２の画像表示斑を減少することができる。
【００３１】
（第２の実施の形態）
本発明の第２の実施の形態は、前述の第１の実施の形態に係るバックライトユニット１において、光源ユニットの発光動作により発生する熱によるシャーシの反りを減少する例を説明するものである。
【００３２】
［バックライトユニットのシャーシの構成］
第２の実施の形態に係るバックライトユニット１は、図３に示すように、第１の実施の形態に係るバックライトユニット１のシャーシ１１の光源ユニット４Ｔの配設領域に第２の折り曲げ部１１Ｔを有し、この第２の折り曲げ部１１Ｔにスリット１１ＳＬを配設したものである。
【００３３】
図１及び図３に示すように、シャーシ１１の第１の光源ユニット４Ｂの配設領域にはシャーシ１１のその配設領域を折り曲げて成型した第１の折り曲げ部１１Ｂを有し、この第１の折り曲げ部１１Ｂに第１の光源ユニット４Ｂが取り付けられている。同様に、シャーシ１１の第２の光源ユニット４Ｔの配設領域にはシャーシ１１のその配設領域を折り曲げて成型した第２の折り曲げ部１１Ｔを有し、この第２の折り曲げ部１１Ｔに第２の光源ユニット４Ｔが取り付けられている。スリット１１ＳＬは、特に発光動作に伴う熱の影響が大きい第２の折り曲げ部１１Ｔに配設され、この第２の折り曲げ部１１Ｔの領域部分の伸縮を吸収する。
【００３４】
ここで、第１の折り曲げ部１１Ｂ、第２の折り曲げ部１１Ｔは、いずれも表示パネル２、導光体３、第１の光源ユニット４Ｂ、第２の光源ユニット４Ｔを内部に収納する空間を生成し、かつシャーシ１１を立体的に成型してその機械的強度を増強する枠体である。図１及び図３に示すように、第１の折り曲げ部１１Ｂ、第２の折り曲げ部１１Ｔは、シャーシ１１の導光体３の裏面３Ｃに対向する底面を表示パネル２側（内側）に底面に対して例えば垂直に折り曲げて構成されている。第１の折り曲げ部１１Ｂ、第２の折り曲げ部１１Ｔはいずれもシャーシ１１に一体化されている。
【００３５】
スリット１１ＳＬは、第２の折り曲げ部１１Ｔの終端からシャーシ１１の底面に達するか又は底面にある程度食い込み、一定の幅寸法を有し、かつバックライトユニット１の上辺に沿って複数本配列されている。第２の実施の形態において、スリット１１ＳＬの幅寸法は、シャーシ１１の伸縮率を考慮し、スリット１１ＳＬにより分離された隣り合う第２の折り曲げ部１１Ｔ同士がシャーシ１１の伸びにより互いに干渉しない例えば１．０ｍｍに設定されている。また、第２の実施の形態において、第２の折り曲げ部１１Ｔの中央から図３中左側に例えば５本、中央から図３中右側に例えば５本の合計１０本のスリット１１ＳＬが、左右にバランスよく配設されている。
【００３６】
第２の折り曲げ部１１Ｔが上になるようにバックライトユニットを設置した場合、第１及び第２の光源ユニット４Ｂ、４Ｔの発光時の熱により第２の折り曲げ部１１Ｔ側は最も温度が高くなるので、シャーシ１１において最大の伸びになり、一方、特にシャーシ１１の中央領域は第２の折り曲げ部１１Ｔに比較して温度が低いので、図３の矢印Ｗで示すように、シャーシ１１の特に第２の折り曲げ部１１Ｔが表示パネル２側に反りを生じる。スリット１１ＳＬは、この第２の折り曲げ部１１Ｔの伸びを吸収し、反りＷの発生を防止する。
【００３７】
なお、第１の折り曲げ部１１Ｂにも第２の折り曲げ部１１Ｔと同様にスリット１１ＳＬが配設されても良い。
【００３８】
また、第２の実施の形態に係るバックライトユニット１は、図３に示すように、第１の折り曲げ部１１Ｂ、第２の折り曲げ部１１Ｔにそれらに沿って配設され、シャーシ１１の反りに対する機械的強度を補強する第１の補強材１１０Ｂ、第２の補強材１１０Ｔを更に備えてもよい。第１の補強材１１０Ｂは、第１の折り曲げ部１１Ｂと同等の長さを有し、例えば断面Ｌ字形（若しくは断面コ字形）を有し、第１の折り曲げ部１１Ｂに装着される。第２の補強材１１０Ｔは、第２の折り曲げ部１１Ｔと同等の長さを有し、例えば断面Ｌ字形（若しくは断面コ字形）を有し、第２の折り曲げ部１１Ｔに装着される。第１の補強材１１０Ｂ、第２の補強材１１０Ｔは、いずれも例えばシャーシ１１と同様の金属材料により構成され、同等の板厚により構成される。装着には例えばビス止めが使用される。
【００３９】
以上説明したように、このように構成される第３の実施の形態に係るバックライトユニット１においては、シャーシ１１の少なくとも第２の折り曲げ部１１Ｔにスリット１１ＳＬを備えたので、第２の光源ユニット４Ｔの発光動作により発生する熱による第２の折り曲げ部１１Ｔの伸びをスリット１１ＳＬにより吸収し、シャーシ１１の反りＷを減少することができる。この結果、特に導光体３の他側面３Ｔと第２の光源ユニット４Ｔとの間のシャーシ１１の反りＷに起因する位置の変化を防止することができるので、第２の光源ユニット４Ｔから照射される光を効率よく導光体３の他側面３Ｔに入射することができ、バックライトユニット１の輝度の低下を防止することができる。
【００４０】
なお、第２の実施の形態に係るバックライトユニット１においては、前述の図１及び図２に示す第１の実施の形態に係るバックライトユニット１の放熱効果を促進するためのシャーシ１１の凸部１１Ｈ、第１の貫通穴１１Ｈ１及び第２の貫通穴１１Ｈ２、並びに導光体３に接触する領域１１Ｄを備えていないが、これらを備えても良い。
【００４１】
（その他の実施の形態）
上記のように、本発明を第１の実施の形態及び第２の実施の形態によって記載したが、この開示の一部をなす論述及び図面はこの発明を限定するものでない。本発明は様々な代替実施の形態、実施例及び運用技術に適用することができる。例えば、前述の実施の形態においては、バックライトユニット１として液晶バックライトユニットに適用した例を説明したが、本発明はこれに限定されるものではない。具体的には、バックライトユニット１として例えばパーソナルコンピュータに接続される液晶表示モニタに本発明は適用することができる。
【００４２】
また、本発明においては、図２中及び図３中の導光体３の側面に相当する領域（図２及び図３においてシャーシ１１の右側側面３Ｒ及び左側側面３Ｌ）に光源ユニットを配置することができる。この場合においても本発明の効果を得る事ができる。更に、光源ユニットは第１又は第２の光源ユニット４Ｂ,４Ｔのいずれか一方のみを配設することとしても良い。
【００４３】
また、前述の実施の形態に係るバックライトユニット１においては、第１の光源ユニット４Ｂ及び第２の光源ユニット４Ｔに発光ダイオードが使用されているが、本発明はこれらの光源ユニットに蛍光管例えば冷陰極放電管を使用してもよい。
【００４４】
更に、本発明は、基本的にはバックライトユニット（バックライト装置）若しくは照明ユニット（照明装置）を有するバックライトユニットに適用することができ、例えば写真やポスターの裏面にバックライトユニットを装着したビューア（バックライトユニット付き看板）等に適用することができる。
【図面の簡単な説明】
【００４５】
【図１】本発明の第１の実施の形態に係るバックライトユニットの断面図である。
【図２】本発明の第１の実施の形態に係るバックライトユニットのシャーシの概略斜視図である。
【図３】本発明の第２の実施の形態に係るバックライトユニットのシャーシの概略斜視図である。
【符号の説明】
【００４６】
１…バックライトユニット
２…表示パネル
３…導光体
３Ｂ…一側面
３Ｔ…他側面
３Ａ…光出力面
４Ｂ…第１の光源ユニット
４Ｔ…第２の光源ユニット
４１…基板
４２…発光ダイオード
１０…ベゼル
１１…シャーシ
１１Ｂ…第１の折り曲げ部
１１Ｄ…領域
１１Ｔ…第２の折り曲げ部
１１ＳＬ…スリット
１１Ｈ…凸部
１１Ｈ１…第１の貫通穴
１１Ｈ２…第２の貫通穴 
【図１】
2009245883.tif 000003
【図２】
2009245883.tif 000004
【図３】
2009245883.tif 000005